(57)【要約】【課題】  ネットワークを介して接続されたネットワーク通信装置間での通信を可能にするために各ネットワーク通信装置が他のネットワーク通信装置に関する情報を必要とするネットワークシステムに適用できる、ネットワーク通信装置の集中管理システムを提供する。【解決手段】  コンフィグレーションマネージャー１１は、ネットワーク１２に接続されたネットワーク通信装置Ａ乃至Ｆに関するコンフィグレーション情報をトポロジデータベース１３として集中管理する。新たに参加又は離脱する装置から送信された参加・離脱要求を受け取ったコンフィグレーションマネージャーは、その後のネットワーク構成に必要となるコンフィグレーション情報を各ネットワーク通信装置へ送信する。【選択図】      図３
2007243372.tif 000002
【特許請求の範囲】
【請求項１】
ネットワークを介して互いに接続される複数のネットワーク通信装置の各々に関するコンフィグレーション情報をデータベースに登録して集中管理するネットワーク通信装置の集中管理システムであって、
前記データベースを管理するコンフィグレーションマネージャーは、前記複数のネットワーク通信装置のうちのいずれかから送信された参加・離脱要求に応じて前記データベースを更新する更新手段と、更新されたデータベースに基づいて前記複数のネットワーク通信装置へ更新により通知が必要となったコンフィグレーション情報を配信する配信手段と、を備えていることを特徴とするネットワーク通信装置の集中管理システム。
【請求項２】
請求項１に記載されたネットワーク通信装置の集中管理システムにおいて、
前記配信手段は、前記参加・離脱要求が参加要求である場合に、前記参加・離脱要求を行ったネットワーク通信装置に対して他のネットワーク通信装置に関するコンフィグレーション情報を配信し、他のネットワーク通信装置に対して前記参加・離脱要求を行ったネットワーク通信装置に関するコンフィグレーション情報を配信することを特徴とするネットワーク通信装置の集中管理システム。
【請求項３】
請求項１に記載されたネットワーク通信装置の集中管理システムにおいて、
前記配信手段は、前記参加・離脱要求が離脱要求である場合に、前記参加・離脱要求を行ったネットワーク通信装置以外のネットワーク通信装置に対して前記更新により通知が必要となったコンフィグレーション情報を配信することを特徴とするネットワーク通信装置の集中管理システム。
【請求項４】
ネットワークを介して互いに接続される複数のネットワーク通信装置の各々に関するコンフィグレーション情報をデータベースに登録して集中管理するネットワーク通信装置の集中管理方法であって、
前記データベースを管理するコンフィグレーションマネージャーが、前記複数のネットワーク通信装置のうちのいずれかから送信された参加・離脱要求に応じて前記データベースを更新する更新ステップと、
前記コンフィグレーションマネージャーが、更新されたデータベースに基づいて前記複数のネットワーク通信装置へ更新により通知が必要となったコンフィグレーション情報を配信する配信ステップと、
を含むことを特徴とするネットワーク通信装置の集中管理方法。
【請求項５】
請求項４に記載されたネットワーク通信装置の集中管理方法において、
前記参加・離脱要求が参加要求である場合に、前記配信ステップが、前記参加・離脱要求を行ったネットワーク通信装置に対して他のネットワーク通信装置に関するコンフィグレーション情報を配信するステップと、他のネットワーク通信装置に対して前記参加・離脱要求を行ったネットワーク通信装置に関するコンフィグレーション情報を配信するステップとを含むことを特徴とするネットワーク通信装置の集中管理方法。
【請求項６】
請求項４に記載されたネットワーク通信装置の集中管理方法において、
前記参加・離脱要求が離脱要求である場合に、前記配信ステップが、前記参加・離脱要求を行ったネットワーク通信装置以外の他のネットワーク通信装置に対して前記更新により通知が必要となったコンフィグレーション情報を配信するステップを含むことを特徴とするネットワーク通信装置の集中管理方法。
【請求項７】
ネットワークを介して互いに接続される複数のネットワーク通信装置の各々に関するコンフィグレーション情報をデータベースに登録して集中管理するコンフィグレーションマネージャーであって、
前記複数のネットワーク通信装置のうちのいずれかから送信された参加・離脱要求に応じて前記データベースを更新する更新手段と、更新されたデータベースに基づいて前記複数のネットワーク通信装置へ更新により通知が必要となったコンフィグレーション情報を配信する配信手段と、を備えていることを特徴とするコンフィグレーションマネージャー。
【請求項８】
請求項７に記載されたコンフィグレーションマネージャーにおいて、
前記配信手段は、前記参加・離脱要求が参加要求である場合に、前記参加・離脱要求を行ったネットワーク通信装置に対して他のネットワーク通信装置に関するコンフィグレーション情報を配信し、他のネットワーク通信装置に対して前記参加・離脱要求を行ったネットワーク通信装置に関するコンフィグレーション情報を配信することを特徴とするコンフィグレーションマネージャー。
【請求項９】
請求項７に記載されたコンフィグレーションマネージャーにおいて、
前記配信手段は、前記参加・離脱要求が離脱要求である場合に、前記参加・離脱要求を行ったネットワーク通信装置以外の他のネットワーク通信装置に対して前記更新により通知が必要となったコンフィグレーション情報を配信することを特徴とするコンフィグレーションマネージャー。
【請求項１０】
ネットワークに接続されたコンフィグレーションマネージャーに対して自装置のコンフィグレーション情報を送信する送信手段と、
前記コンフィグレーションマネージャーから配信される他装置のコンフィグレーション情報を受信する受信手段と、
前記自装置のコンフィグレーション情報と前記他装置のコンフィグレーション情報とを登録するデータベースと、
を備えることを特徴とするネットワーク通信装置。
【発明の詳細な説明】
【技術分野】
【０００１】
本発明は、ネットワーク通信装置の集中管理システム及び方法に関し、特に、あるネットワーク通信装置の参加・離脱に伴って他のネットワーク通信装置についてのコンフィグレーション（環境設定）が必要となるネットワークシステムにおけるネットワーク通信装置の集中管理システム及び方法に関する。
【背景技術】
【０００２】
従来のネットワーク通信装置の集中管理システムとして、ネットワークに管理用装置を接続し、ネットワークに接続されたネットワーク通信装置からの要求に応じて、コンフィグレーション情報を供給するシステムがある（例えば、特許文献１、２又は３参照。）
しかし、これらのシステムは、要求を発したネットワーク通信装置に対してのみコンフィグレーション情報を供給するものであって、ネットワーク通信装置の参加・離脱に伴って必要となる他のネットワーク通信装置のコンフィグレーションの変更等には対応していない。
【０００３】
ネットワーク通信装置には、ネットワークへの接続時に、通信対象となる他のネットワーク通信装置に対する設定（コンフィグレーション）を行わなければならないものがある。このようなネットワーク通信装置では、ネットワークに新たに他のネットワーク通信装置が接続され、あるいはすでに接続されている他のネットワーク通信装置が切り離されるたびに、設定されたコンフィグレーションを変更しなければならない。
【０００４】
例えば、図６に示すようなネットワークシステムでは、ネットワーク通信装置Ｂ，Ｃ，Ｄ，Ｅ及びＦ（Ｄ及びＦは、それぞれＣ及びＥの冗長構成）が、ネットワークを介して互いに接続されており、各装置は他の装置のコンフィグレーション情報（例えば、装置Ｆは、装置Ｂ乃至Ｅの情報）を保有している。このようなネットワークに、新たにネットワーク通信装置Ａを接続するためには、図７に示すように、装置Ａに装置Ｂ乃至Ｆのコンフィグレーション情報を設定するとともに、装置Ｂ乃至Ｆにそれぞれ装置Ａに関するコンフィグレーション情報を設定しなければならない。同様に、いずれかのネットワーク通信装置を切り離す場合には、残りの全ての装置のコンフィグレーション情報を変更しなければならない。
【０００５】
従来、このようなネットワーク通信装置のコンフィグレーションの設定・変更は、管理者が各ネットワーク通信装置に対して個別に行っている。
【０００６】
【特許文献１】特開２００４−２６０４４５号公報
【特許文献２】特開２００２−１８５５２２号公報
【特許文献３】特開２００４−１９３８８８号公報
【発明の開示】
【発明が解決しようとする課題】
【０００７】
上述したように、ネットワーク通信装置のネットワークへの参加、ネットワークからの離脱によって、ネットワークに接続された他のネットワーク通信装置のコンフィグレーションが必要になるネットワークシステムでは、管理者が、全てのネットワーク通信装置のコンフィグレーション情報を把握し、それに基づいて全てのネットワーク通信装置を個別に設定しなければならない。そのため、この種のネットワークシステムでは、コンフィグレーションに、多大な工程と時間とコストを要するという問題点がある。また、従来のネットワークシステムでは、設定ミスによる人為的障害発生の恐れもある。
【０００８】
そこで、本発明は、この種のネットワークシステムに適用できるネットワーク通信装置の集中管理システムを提供することを目的とする。
【課題を解決するための手段】
【０００９】
本発明の第１の要旨は、ネットワークを介して互いに接続される複数のネットワーク通信装置の各々に関するコンフィグレーション情報をデータベースに登録して集中管理するネットワーク通信装置の集中管理システムであって、前記データベースを管理するコンフィグレーションマネージャーは、前記複数のネットワーク通信装置のうちのいずれかから送信された参加・離脱要求に応じて前記データベースを更新する更新手段と、更新されたデータベースに基づいて前記複数のネットワーク通信装置へ更新により通知が必要となったコンフィグレーション情報を配信する配信手段と、を備えていることを特徴とする。
【００１０】
また、本発明の第２の要旨は、ネットワークを介して互いに接続される複数のネットワーク通信装置の各々に関するコンフィグレーション情報をデータベースに登録して集中管理するネットワーク通信装置の集中管理方法であって、前記データベースを管理するコンフィグレーションマネージャーが、前記複数のネットワーク通信装置のうちのいずれかから送信された参加・離脱要求に応じて前記データベースを更新する更新ステップと、前記コンフィグレーションマネージャーが、更新されたデータベースに基づいて前記複数のネットワーク通信装置へ更新により通知が必要となったコンフィグレーション情報を配信する配信ステップと、を含むことを特徴とする。
【００１１】
さらに本発明の第３の要旨は、ネットワークを介して互いに接続される複数のネットワーク通信装置の各々に関するコンフィグレーション情報をデータベースに登録して集中管理するコンフィグレーションマネージャーであって、前記複数のネットワーク通信装置のうちのいずれかから送信された参加・離脱要求に応じて前記データベースを更新する更新手段と、更新されたデータベースに基づいて前記複数のネットワーク通信装置へ更新により通知が必要となったコンフィグレーション情報を配信する配信手段と、を備えていることを特徴とする。
【００１２】
さらにまた、本発明の第４の要旨は、ネットワーク通信装置において、ネットワークに接続されたコンフィグレーションマネージャーに対して自装置のコンフィグレーション情報を送信する送信手段と、前記コンフィグレーションマネージャーから配信される他装置のコンフィグレーション情報を受信する受信手段と、前記自装置のコンフィグレーション情報と前記他装置のコンフィグレーション情報とを登録するデータベースと、を備えることを特徴とする。
【発明の効果】
【００１３】
本発明によれば、ネットワークに接続された全てのネットワーク通信装置に対して、個別に設定を行う必要がないので、管理作業工程及びコストを削減することができる。
【００１４】
また、ネットワークに対するネットワーク通信装置の追加及び削除、ネットワーク構成の変更等の際に、管理者が設定を行う必要がないので、これらを容易に行うことができる。
【００１５】
さらに、新たにネットワークに接続しようとするネットワーク通信装置に対しても、既にネットワークに接続されているネットワーク通信装置に関する情報を設定する必要がないので、管理者による設定作業が低減され、人為的ミスの発生を防止または低減できる。
【発明を実施するための最良の形態】
【００１６】
以下、図面を参照して本発明を実施するための最良の形態について説明する。
【００１７】
まず、図１乃至図３を参照して、本発明の一実施の形態に係るネットワーク通信装置の集中管理システムの概略について説明する。
【００１８】
図１に示すように、本実施の形態に係る集中管理システム１０は、コンフィグレーションマネージャー１１を有している。コンフィグレーションマネージャー１１は、ネットワーク１２に接続されているネットワーク通信装置Ｂ乃至ＦのＩＰアドレスや、ネットワーク１２への接続形態（たとえば、クラスタ構成の有無）等の情報をトポロジデータベース１３としてまとめて管理している。ここで、互いに関連のある装置同士をグループとして管理するため（例えば、ＬＡＮのようなネットワーク単位で管理するため）、グループごとに識別子（グループ識別子）を割り当ててもよい。
【００１９】
次に、図２に示すように、新たにネットワーク１２に接続されたネットワーク通信装置Ａより装置Ａに関する情報が送られてくると、コンフィグレーションマネージャー１１は、トポロジデータベース１３を更新する。即ち、図３に示すように、装置Ａに関する情報をトポロジデータベース１３に登録する。
【００２０】
続いて、コンフィグレーションマネージャー１１は、ネットワーク上の各ネットワーク通信装置Ａ乃至Ｆに対応するコンフィグレーション情報を生成する。例えば、新規に追加されたネットワーク通信装置Ａに対しては、既存のネットワーク通信装置Ｂ乃至Ｆの全てとの通信を可能にするコンフィグレーション情報（装置Ｂ乃至Ｆに対する設定）を生成する。また、既存のネットワーク通信装置Ｂ乃至Ｆに対しては、それぞれの接続形態等に応じて、追加されたネットワーク通信装置Ａとの通信を可能にするコンフィグレーション情報（装置Ａに対する設定）を生成する。そして、コンフィグレーションマネージャー１１は、図３に示すように、生成したコンフィグレーション情報を各ネットワーク通信装置Ａ乃至Ｆに配信する。
【００２１】
ネットワーク通信装置Ａ乃至Ｆのそれぞれは、コンフィグレーションマネージャー１１から配信されたコンフィグレーション情報に基づいてそれぞれ設定を行う。
【００２２】
以上のように、本実施の形態では、コンフィグレーションマネージャー１１が、（１）ネットワークを介して接続される各ネットワーク通信装置に関する情報（ＩＰアドレス、接続形態）をトポロジデータベースとして保持し、（２）複数のネットワークの管理を可能にするために、グループ識別子を導入して、トポロジデータベースをグループ識別子単位で管理し、（３）ネットワーク通信装置からネットワークへの参加・離脱が通知される度に、保持しているトポロジデータベースを更新し、（４）更新されたトポロジデータベースに基づいて、設定変更が必要となる他のネットワーク通信装置へ配信するコンフィグレーション情報を自動生成し、（５）生成したコンフィグレーション情報を各ネットワーク通信装置に配信する。
【００２３】
次に、図４を参照して、コンフィグレーションマネージャー１１の構成について説明する。
【００２４】
図４に示すように、コンフィグレーションマネージャー１１は、通信処理部４１、参加要求処理部４２、離脱要求処理部４３、コンフィグ配信処理部４４、トポロジ計算処理部４５、及びトポロジデータベース４６を有している。
【００２５】
通信処理部４１は、ネットワークに接続され、ネットワーク通信装置から送信されてくる参加・離脱情報（コマンド）を含むパケットの受信処理、生成したコンフィグレーション情報の送信処理を行う。
【００２６】
通信処理部４１は、ネットワーク通信装置からのパケットを受信すると、そのパケットに含まれるコマンド部分を参照して、ネットワークへの参加を要求するパケットであるのか、ネットワークからの離脱を要求するパケットであるのか判断する。受信したパケットがネットワークへの参加を求めるパケットである場合、通信処理部４１は、受信パケットに含まれる設定情報を参加要求処理部４２へ渡す。また、受信したパケットがネットワークからの離脱を求めるパケットである場合、通信処理部４１は、受信パケットに含まれる設定情報を離脱要求処理部４３へ渡す。
【００２７】
参加要求処理部４２は、通信処理部４１より設定情報を受け取ると、トポロジ計算処理部４５に対して、ネットワークへの参加を要求している新たなネットワーク通信装置を含むネットワークにおいて必要となる各ネットワーク通信装置のコンフィグレーション情報の作成と、トポロジデータベース４６に保持されているトポロジ情報（各ネットワーク通信装置のＩＰアドレス、コンフィグレーション情報）の更新を依頼する。また、参加要求処理部４２は、コンフィグ配信処理部４４に対して、更新されたトポロジ情報に基づき、各ネットワーク通信装置へのコンフィグレーション情報の送信を依頼する。
【００２８】
一方、離脱要求処理部４３は、通信処理部４１より設定情報を受け取ると、トポロジ計算処理部４５に対して、ネットワークからの離脱を要求しているネットワーク通信装置を切り離したネットワークにおいて必要となる各ネットワーク通信装置のコンフィグレーション情報の作成と、トポロジデータベース４６のトポロジ情報の更新を依頼する。また、離脱要求処理部４３は、コンフィグ配信処理部４４に対して、更新されたトポロジ情報に基づき、各ネットワーク通信装置へのコンフィグレーション情報の送信を依頼する。
【００２９】
コンフィグ配信処理部４４は、トポロジ計算処理部４５によるトポロジデータベース４６の更新が終了した後、参加要求処理部４２及び離脱要求処理部４３からの要求に応じて、トポロジデータベース４６に保持されたトポロジデータベースに基づいて、各ネットワーク通信装置に対応するコンフィグレーション情報を含む設定情報を生成し、その設定情報を通信処理部４１に依頼する。
【００３０】
トポロジ計算処理部４５は、参加要求処理部４２及び離脱要求処理部４３からの依頼に基づいてトポロジ計算を行い、トポロジデータベース４６を更新する。
【００３１】
通信処理部４１は、上述したように、各ネットワーク通信装置に対応する設定情報を、ネットワークを介して配信する。
【００３２】
次に、図５を参照して、各ネットワーク通信装置５０の構成について説明する。
【００３３】
図５に示すように、ネットワーク通信装置５０は、コンフィグ設定処理部５１、参加要求処理部５２、離脱要求処理部５３、受信データ処理部５４及び通信処理部５５が、新規に追加されている。また、ネットワーク通信装置５０は、通信インタフェース５６とコンフィグデータベース５７とを有している。
【００３４】
コンフィグ設定処理部５１は、例えば、コマンドラインやＧＵＩであり、ネットワークへの参加要求やネットワークからの離脱要求を行う場合に、管理者からの入力操作（設定）を受け付ける。コンフィグ設定処理部５１は、管理者の入力操作により設定された情報を、通常の設定ツールと同様に、通信インタフェース５６が参照するコンフィグデータベース５７に書き込む。また、コンフィグ設定処理部５１は、管理者の設定がネットワークへの参加要求の場合は参加要求処理部５２に、離脱要求の場合は離脱要求処理部５３に、それぞれ処理の開始を要求する。
【００３５】
参加要求処理部５２及び離脱要求処理部５３は、コンフィグ設定処理部５１からの要求があると、コンフィグデータベース５７を参照し、参加要求コマンド又は離脱要求コマンドと、コンフィグレーション情報とを通信処理部５５へ通知する。
【００３６】
通信処理部５５は、参加要求処理部５２又は離脱要求処理部５３から通知されるコマンドとコンフィグレーション情報に、コンフィグレーションマネージャー１１を送信先とするＩＰアドレスを加えた送信パケットを生成し、ネットワークを通じて送信する。
【００３７】
通信処理部５５は、また、コンフィグレーションマネージャーから送信されたパケットを受け取った場合、受信データ処理部５４に、そのパケットに含まれる設定情報を渡す。
【００３８】
受信データ処理部５４は、通信処理部５５から受け取った設定情報を用いて、コンフィグデータベース５７を更新する。
【００３９】
次に、図４及び図５に加え、再び図１乃至図３をも参照して、本実施の形態に係る集中管理システムの動作について説明する。
【００４０】
図１に示すように、ネットワーク１２にはネットワーク通信装置Ｂ乃至Ｆが接続されており、コンフィグレーションマネージャー１１は、これらネットワーク通信装置Ｂ乃至Ｆに関する情報を一括してトポロジデータベース４６に登録して管理している。
【００４１】
新たにネットワーク通信装置Ａをネットワーク１２に参加させる際、管理者は装置Ａのコンフィグ設定処理部５１より、装置Ａに関する情報（ＩＰアドレス及び接続形態）と、コンフィグレーションマネージャーのＩＰアドレスと、装置Ａが属するグループ識別子を設定し、ネットワーク１２に接続する。
【００４２】
従来は、新たにネットワークに参加させるネットワーク通信装置に、（１）自ＩＰアドレス（ＤＨＣＰ等により動的に払い出されるようにしてもよい。）、（２）クラスタ設定（ピア（Peer）となる装置のＩＰアドレス、及びプライマリ又はセカンダリ）、（３）インパス（In-Path）構成又はアウトオブパス（Out-of-Path）構成、（４）対向する装置の情報（ＩＰアドレス、ポート番号等）、などを設定する必要があった。本実施の形態では、上記（４）対向する装置の情報、を設定する変わりに、（５）コンフィグレーションマネージャーのＩＰアドレス、及び（６）グループ識別子（通信相手をグループ単位で指定する。例えば、会社単位、部署単位など。）を設定する。設定された事項はコンフィグデータベース５７に書き込まれる。その後、コンフィグ設定処理部５１は、参加要求処理部５２に処理の開始を依頼する。
【００４３】
処理開始の依頼を受けた参加要求処理部５２は、コンフィグデータベース５７を参照し、参加要求コマンドと装置Ａに関する設定をまとめた設定情報を生成し、通信処理部５５に投げる。
【００４４】
通信処理部５５は、コンフィグレーションマネージャー１１を送信先とする、参加要求処理部５２からの設定情報を含む送信パケットを生成し、ネットワークへ送出する（図２）。
【００４５】
コンフィグレーションマネージャー１１では、ネットワーク通信装置Ａから送信されたパケットを通信処理部４１により受け取る。通信処理部４１は、受信パケットに含まれるコマンドを参照し、受信した設定情報を参加要求処理部４２に渡す。
【００４６】
参加要求処理部４２は、ネットワーク通信装置Ａに関する情報をトポロジ計算処理部４５に渡し、コンフィグ配信処理部４４にコンフィグレーション情報の配信を依頼する。
【００４７】
トポロジ計算処理部４５は、参加要求処理部４２からの設定情報に基づき、ネットワーク通信装置Ａに関する情報を、トポロジデータベース４６に追加登録する。また、トポロジ計算処理部は、ネットワーク通信装置Ａに関する情報が追加されたトポロジデータベース４６に基づいてコンフィグレーションの計算を、ネットワーク通信装置毎に行い、トポロジデータベース４６を更新する。
【００４８】
次に、参加要求処理部４２から配信の依頼を受けたコンフィグ配信処理部４４は、トポロジデータベース４６に登録されている全てのネットワーク通信装置に対して、すなわち装置Ａから装置Ｆに対して、それぞれコンフィグレーション情報を配信するよう、通信処理部４１に依頼する。
【００４９】
通信処理部４１は、各ネットワーク通信装置に対してそれぞれ対応するコンフィグレーション情報を含むパケットを送信する（図３）。
【００５０】
各ネットワーク通信装置Ａ乃至Ｆでは、通信処理部５５でコンフィグレーションマネージャーから配信されるコンフィグレーション情報を含むパケットを受信する。受信したコンフィグレーション情報は、受信データ処理部５４に引き渡され、コンフィグデータベース５７に登録する。
【００５１】
以上のようにして、ネットワーク通信装置Ａがネットワークに接続されたとき、その装置Ａと他のネットワーク通信装置Ｂ乃至Ｆとの間の通信を可能にするために必要なコンフィグレーション情報の設定が自動的に行われる。
【００５２】
ネットワーク通信装置Ａをネットワークから離脱させる場合、管理者は、装置Ａのコンフィグ設定処理部５１に対して離脱要求を行う。コンフィグ設定処理部５１は、離脱要求処理部５３に対して離脱要求を伝える。
【００５３】
離脱要求処理部５３は、コンフィグデータベース５７を参照して、送信すべき設定情報を作成し、通信処理部５５に渡す。
【００５４】
通信処理部５５は、離脱要求処理部５３から受け取った設定情報を含む送信パケットを生成し、コンフィグレーションマネージャー１１へ送信する。
【００５５】
コンフィグレーションマネージャー１１は、通信処理部４１でコンフィグレーションマネージャー宛のパケットを受信する。通信処理部４１は、受け取ったパケットのコマンドに基づいて離脱を要求するものであると判断すると、受信した設定情報を離脱要求処理部４３へ渡す。
【００５６】
離脱要求処理部４３は、受け取った設定情報をトポロジ計算処理部４５へ渡し、コンフィグ配信処理部４４に配信処理の依頼を行う。
【００５７】
トポロジ計算処理部４５は、ネットワーク装置Ａを取り除いた状態のコンフィグレーション情報をネットワーク通信装置Ｂ乃至Ｆのそれぞれについて生成し、トポロジデータベース４６に保存する。これにより、トポロジデータベース４６には、ネットワーク通信装置Ａに関する情報が存在しなくなる。
【００５８】
コンフィグ配信処理部４４は、離脱要求処理部４３からの依頼に応じて、トポロジデータベース４６を参照し、全てのネットワーク通信装置（装置Ｂ乃至装置Ｆ）に送信すべきコンフィグレーション情報を通信処理部４１に通知する。
【００５９】
通信処理部４１は、コンフィグ配信処理部４４からのコンフィグレーション情報を含む送信パケットを生成し、ネットワーク通信装置Ｂ乃至Ｆへ送信する。
【００６０】
各ネットワーク通信装置Ｂ乃至Ｆでは、参加要求の場合と同様にして、受信したコンフィグレーション情報をコンフィグデータベース５７に登録する。
【００６１】
以上のようにして、ネットワーク通信装置Ａをネットワークから切り離すことが可能になる。
【００６２】
以上説明したように、本実施の形態によれば、コンフィグレーションマネージャーを導入したことにより、管理者は、ネットワークに参加させるネットワーク通信装置のみの設定を行うだけでよく、ネットワーク上の他のネットワーク通信装置の設定を行う必要がない。しかも、ネットワークに参加させるネットワーク通信装置の設定において、他のネットワーク上のネットワーク通信装置に関する情報を把握しておく必要もない。
【００６３】
同様に、ネットワークからネットワーク通信装置を離脱させる場合には、管理者は、離脱させようとするネットワーク通信装置に対してのみ設定を行えばよい。
【００６４】
なお、以上説明したネットワーク通信装置には、交換機（Switch）、ルーター、ＷＡＮ高速化装置、ＩＰ−ＶＰＮ装置、ファイアーウォール装置などが含まれる。
【図面の簡単な説明】
【００６５】
【図１】本発明の一実施の形態に係るネットワーク通信装置の一括管理システムの概要を説明するための図であって、装置Ａがネットワークに接続されていない状態を示す図である。
【図２】本発明の一実施の形態に係るネットワーク通信装置の一括管理システムの概要を説明するための図であって、装置Ａからコンフィグレーションマネージャーへコンフィグレーション情報が送信された状態を示す図である。
【図３】本発明の一実施の形態に係るネットワーク通信装置の一括管理システムの概要を説明するための図であって、コンフィグレーションマネージャーから装置Ａ乃至Ｆへコンフィグレーション情報が配信された状態を示す図である。
【図４】図１乃至図３の一括管理システムに用いられるコンフィグレーションマネージャーの概略構成を示すブロック図である。
【図５】図１乃至図３の一括管理システムに用いられるネットワーク通信装置の概略構成を示すブロック図である。
【図６】従来のネットワークシステムを説明するための図であって、装置Ａがネットワークに接続されていない状態を示す図である。
【図７】従来のネットワークシステムを説明するための図であって、装置Ａがネットワークに接続された状態を示す図である。
【符号の説明】
【００６６】
１０    集中管理システム
１１    コンフィグレーションマネージャー
１２    ネットワーク
１３    トポロジデータベース
４１    通信処理部
４２    参加要求処理部
４３    離脱要求処理部
４４    コンフィグ配信処理部
４５    トポロジ計算処理部
４６    トポロジデータベース
５１    コンフィグ設定処理部
５２    参加要求処理部
５３    離脱要求処理部
５４    受信データ処理部
５５    通信処理部
５６    通信インタフェース
５７    コンフィグデータベース
【図１】
2007243372.tif 000003
【図２】
2007243372.tif 000004
【図３】
2007243372.tif 000005
【図４】
2007243372.tif 000006
【図５】
2007243372.tif 000007
【図６】
2007243372.tif 000008
【図７】
2007243372.tif 000009